(57)【要約】  本発明は、ＣＴ（コンピュータ断層撮影；ｃｏｍｐｕｔｅｄ  ｔｏｍｏｇｒａｐｈｙ）ガイドＲＦＡ（高周波熱治療；ｒａｄｉｏｆｒｅｑｕｅｎｃｙ  ａｂｌａｔｉｏｎ）施術時に使用が容易な高周波熱治療用電極装置に関し、本発明の一実施例は、取っ手の前方に電極針が備えられ、前記電極針から発生する高周波熱で病変部位を焼灼して壊死させる高周波熱治療用電極装置において、前記取っ手と前記電極針との間に備えられ、所定角度折り曲げ変形可能で、折り曲げ変形した状態を維持できる折曲管を含む高周波熱治療用電極装置を提供する。【選択図】        図２
2016538085.tif 000002
【特許請求の範囲】
【請求項１】
取っ手（２００）の前方に電極針（６００）が備えられ、前記電極針（６００）から発生する高周波熱で病変部位を焼灼して壊死させる高周波熱治療用電極装置において、
前記取っ手（２００）と前記電極針（６００）との間に備えられ、所定角度折り曲げ変形可能で、折り曲げ変形した状態を維持できる折曲管（３００）を含む高周波熱治療用電極装置。
【請求項２】
前記折曲管（３００）は、
前記取っ手（２００）の先端に一端が結合される軟性材質の内部チューブ（３１０）と、前記取っ手（２００）の先端に一端が結合され、前記内部チューブ（３１０）を内部に収容するしわ管形態の外部チューブ（３２０）とを含むことを特徴とする請求項１に記載の高周波熱治療用電極装置。
【請求項３】
一端が前記外部チューブ（３２０）の他端の外周面を取り囲むように結合され、他端が前記電極針（６００）の一端を取り囲むように結合される連結チューブ（５００）をさらに含むことを特徴とする請求項２に記載の高周波熱治療用電極装置。
【請求項４】
一端が前記内部チューブ（３１０）の他端に挿入され、他端が前記電極針（６００）の先端部まで延びるガイド管（４００）をさらに含むことを特徴とする請求項２に記載の高周波熱治療用電極装置。
【請求項５】
前記取っ手（２００）は、
冷却水供給ライン（３ａ）と冷却水排出ライン（３ｂ）が連結され、内部に第１冷却水供給路（２１３）と第１冷却水排出路（２１４）がそれぞれ分離形成される第１ブロック（２１０）と、
前記第１ブロック（２１０）の一側に結合され、前記第１冷却水供給路（２１３）および前記内部チューブ（３１０）と連通する第２冷却水供給路（２２３）と、前記第１冷却水排出路（２１４）と連通する第２冷却水排出路（２２４）がそれぞれ分離形成される第２ブロック（２２０）と、
前記第２ブロック（２２０）の一側に結合され、前記外部チューブ（３２０）と前記内部チューブ（３１０）の一端が挿入される第３ブロック（２３０）とを含むことを特徴とする請求項２に記載の高周波熱治療用電極装置。
【請求項６】
前記第２ブロック（２２０）の一側に形成される第２凹部（２２１）に前記第１ブロック（２１０）の第１突出部（２１２）が挿入結合され、前記第１冷却水供給路（２１３）を通して前記第２ブロック（２２０）の内部に流入した冷却水が、前記第１突出部（２１２）と前記第２凹部（２２１）との結合時に形成される第１空間部（２２５）を経て前記第２冷却水供給路（２２３）に流動することを特徴とする請求項５に記載の高周波熱治療用電極装置。
【請求項７】
前記第３ブロック（２３０）の一側に形成される第３凹部（２３１）に前記第２ブロック（２２０）の第２突出部（２２２）が挿入結合され、前記内部チューブ（３１０）と前記外部チューブ（３２０）との間の隙間を通して前記第３ブロック（２３０）に流入した冷却水が、前記第２突出部（２２２）と前記第３凹部（２３１）との間に形成される第２空間部（２３２）を経て前記第２冷却水排出路（２２４）に流動することを特徴とする請求項５に記載の高周波熱治療用電極装置。
【請求項８】
前記外部チューブ（３２０）の一端は、前記第３ブロック（２３０）の中央に長手方向に貫通形成される貫通ホール（２３３）に挿入され、
前記内部チューブ（３１０）の一端は、前記貫通ホール（２３３）を経て前記第２冷却水供給路（２２３）に挿入されることを特徴とする請求項５に記載の高周波熱治療用電極装置。
【発明の詳細な説明】
【技術分野】
【０００１】
本発明は、身体器官の癌組織などの病変部位を高周波で加熱することによって焼灼して壊死させる高周波熱治療用電極装置に関し、より詳細には、ＣＴ（コンピュータ断層撮影；ｃｏｍｐｕｔｅｄ  ｔｏｍｏｇｒａｐｈｙ）ガイドＲＦＡ（高周波熱治療；ｒａｄｉｏｆｒｅｑｕｅｎｃｙ  ａｂｌａｔｉｏｎ）施術時に使用が容易な高周波熱治療用電極装置に関する。
【背景技術】
【０００２】
一般的に、身体器官、例えば、肝臓のような器官に癌組織などが発生すると、非手術的な方法や外科的な手術によって治療している。
【０００３】
しかし、外科的な手術は、主に病変部位の身体を切除しなければならないため、その部位が非常に広くて大きな傷跡を残し、また、長い療養期間を要するなどの問題がある。
【０００４】
これによって、最近は、非手術的な方法、例えば、肝動脈化学塞栓術、経皮的エタノール注入法、全身的抗癌化学療法、局所的熱治療などが利用されており、このうち、局所的熱治療が短期の治療成績や長期的生存率の向上に最も効果的であると知られている。
【０００５】
局所的熱治療には、高周波熱治療、マイクロウェーブ焼灼術、レーザ焼灼術などがあり、このうち、高周波による熱治療が最も効果的に利用されている。
【０００６】
ここで、高周波熱治療は、身体器官、例えば、肝臓に癌組織が発生した場合、これを切除せずに癌組織のみを高周波熱によって焼灼して壊死させる治療方法である。
【０００７】
図１は、このような高周波熱治療用電極装置の一例を示すもので、取っ手５の前方に電極針６が組み立てられ、取っ手５の後方には、電極針６に高周波を供給する電極ライン４と、電極針６の内部に電極針が高周波熱によって溶けるのを防止するように冷却水を循環供給する冷却ライン３とが構成される。
【０００８】
この時、電極針６は、通常、先端の一部分に通電部６ａが形成され、残りの部分に絶縁部６ｂが形成される。電極針６の通電部６ａは、その長さを多様に形成して、身体器官の病変部位の大きさに応じて適当なサイズを選択する。すなわち、通電部６ａの長さが少なくても、病変部位を貫通する長さより大きく形成され、通電部６ａによる高周波熱が病変部位より広い部位を焼灼させることが、確実な治療のために好ましい。
【０００９】
しかし、高周波熱治療施術時、電極針を病変部位に正確に位置させるために、ＣＴ（コンピュータ断層撮影；ｃｏｍｐｕｔｅｄ  ｔｏｍｏｇｒａｐｈｙ）装置を用いる場合（ＣＴ  ｇｕｉｄｅ  ＲＦＡ  ｔｒｅａｔｍｅｎｔ）、図１に示されているように、患者の身体７は、ベッド２に寝かせた状態でＣＴ装置のリングボディ８の内部に位置する。
【００１０】
この時、電極針６と取っ手５とを含む電極装置の長さが、身体７とリングボディ８の内周面との間の間隔より長い場合には、電極装置の電極針６、取っ手５、または電極ライン４や冷却ライン３がリングボディ８に引っかかって施術が不便になる問題がある。
【発明の概要】
【発明が解決しようとする課題】
【００１１】
本発明は、上述した問題を解決するためになされたものであって、本発明の一実施例は、折り曲げ変形可能で、折り曲げ変形した状態を維持できる折曲管が電極針と取っ手との間に備えられる高周波熱治療用電極装置に関する。
【課題を解決するための手段】
【００１２】
本発明の好ましい一実施例によれば、取っ手の前方に電極針が備えられ、前記電極針から発生する高周波熱で病変部位を焼灼して壊死させる高周波熱治療用電極装置において、前記取っ手と前記電極針との間に備えられ、所定角度折り曲げ変形可能で、折り曲げ変形した状態を維持できる折曲管を含む高周波熱治療用電極装置が提供される。
【００１３】
本発明の一実施例による高周波熱治療用電極装置の折曲管は、前記取っ手の先端に一端が結合される軟性材質の内部チューブと、前記取っ手の先端に一端が結合され、前記内部チューブを内部に収容するしわ管形態の外部チューブとを含む。
【００１４】
また、本発明の一実施例による高周波熱治療用電極装置は、一端が前記外部チューブの他端の外周面を取り囲むように結合され、他端が前記電極針の一端を取り囲むように結合される連結チューブをさらに含むことができる。
【００１５】
さらに、本発明の一実施例による高周波熱治療用電極装置は、一端が前記内部チューブの他端に挿入され、他端が前記電極針の先端部まで延びるガイド管をさらに含むことができる。
【００１６】
本発明の一実施例による高周波熱治療用電極装置の取っ手は、冷却水供給ラインと冷却水排出ラインが連結され、内部に第１冷却水供給路と第１冷却水排出路がそれぞれ分離形成される第１ブロックと、前記第１ブロックの一側に結合され、前記第１冷却水供給路および前記内部チューブと連通する第２冷却水供給路と、前記第１冷却水排出路と連通する第２冷却水排出路がそれぞれ分離形成される第２ブロックと、前記第２ブロックの一側に結合され、前記外部チューブと前記内部チューブの一端が挿入される第３ブロックとを含むことができる。
【００１７】
本発明の一実施例による高周波熱治療用電極装置の取っ手は、前記第２ブロックの一側に形成される第２凹部に前記第１ブロックの第１突出部が挿入結合され、前記第１冷却水供給路を通して前記第２ブロックの内部に流入した冷却水は、前記第１突出部と前記第２凹部との結合時に形成される第１空間部を経て前記第２冷却水供給路に流動する。
【００１８】
また、本発明の一実施例による高周波熱治療用電極装置の取っ手は、前記第３ブロックの一側に形成される第３凹部に前記第２ブロックの第２突出部が挿入結合され、前記内部チューブと前記外部チューブとの間の隙間を通して前記第３ブロックに流入した冷却水は、前記第２突出部と前記第３凹部との間に形成される第２空間部を経て前記第２冷却水排出路に流動する。
【００１９】
さらに、本発明の一実施例による高周波熱治療用電極装置の取っ手は、外部チューブの一端が第３ブロックの中央に長手方向に貫通形成される貫通ホールに挿入され、内部チューブの一端が貫通ホールを経て前記第２冷却水供給路に挿入される。
【発明の効果】
【００２０】
本発明の一実施例による高周波熱治療用電極装置によれば、取っ手と電極針との間に折曲管が備えられることにより、取っ手を電極針に対して所定角度に折り曲げた後、折り曲げた状態をそのまま維持することができる。これによって、ＣＴガイド高周波熱治療施術時、ＣＴ装置のリングボディに電極装置の一側がぶつかって施術が不便になる問題を解決することができる。
【００２１】
また、本発明の一実施例による高周波熱治療用電極装置は、取っ手を３つのブロックに形成し、第１、第２、第３ブロックの形状に応じて冷却水供給路と冷却水排出路を分離形成して、冷却水を電極針の先端まで循環させることにより、電極針が過熱によって破損するのを防止できる効果がある。
【図面の簡単な説明】
【００２２】
【図１】従来の高周波熱治療用電極装置の構成図である。
【図２】本発明の一実施例による高周波熱治療用電極装置の構成図である。
【図３】図２の“Ａ”部分の拡大断面図である。
【図４】図２の“Ｂ”部分の拡大断面図である。
【図５】図２の“Ｃ”部分の拡大断面図である。
【図６】本発明の一実施例による高周波熱治療用電極装置の使用状態図である。
【発明を実施するための形態】
【００２３】
以下、本発明の一実施例による高周波熱治療用電極装置の好ましい実施例を、添付した図面を参照して説明する。この過程で図面に示された線の厚さや構成要素の大きさなどは、説明の明瞭性と便宜上、誇張されて示されていることがある。
【００２４】
また、後述する用語は、本発明における機能を考慮して定義された用語であって、これは、使用者、運用者の意図または慣例によって異なり得る。そのため、このような用語に対する定義は、本明細書全般にわたる内容に基づいて行われなければならない。
【００２５】
同時に、下記の実施例は、本発明の権利範囲を限定するものではなく、本発明の請求の範囲に提示された構成要素の例示的な事項に過ぎず、本発明の明細書全般にわたる技術思想に含まれ、請求の範囲の構成要素において均等物として置き換え可能な構成要素を含む実施例は本発明の権利範囲に含まれる。
【００２６】
実施例
図２は、本発明の一実施例による高周波熱治療用電極装置の構成図である。
【００２７】
図２に示されているように、本発明の一実施例による高周波熱治療用電極装置（以下、「電極装置」）１００は、取っ手２００の前方に電極針６００が備えられ、電極針６００から発生する高周波熱で病変部位を焼灼して壊死させる医療装備であって、取っ手２００と電極針６００との間に折曲管３００が備えられる。
【００２８】
折曲管３００は、所定角度に折り曲げ変形が可能で、それ以上の外力が加えられない場合には、折り曲げられた状態をそのまま維持することができる。したがって、ＣＴガイド高周波熱治療施術時、折曲管３００の一側を折り曲げて、取っ手２００が電極針６００に対して所定角度折り曲げられた状態を維持させることができる。この場合、施術時、身体の外部に真っ直ぐに延びる電極装置１００の長さが短縮され、したがって、ＣＴ装置のリングボディ８と身体７との間の空間で自由に電極装置１００を動かして高周波熱治療施術を容易に行うことができる。
【００２９】
図３は、図２の“Ａ”部分の拡大断面図であり、以下の図に示された矢印は、冷却水の流動方向を指す。
【００３０】
本発明の一実施例による取っ手２００は、円柱または多角形柱形状の３つのブロックが長手方向に順次に結合されてなり、内部に冷却水供給路と冷却水排出路が分離形成される。
【００３１】
第１ブロック２１０は、電極針６００の先端部を基準として取っ手２００の最後方に位置し、後端に第１凹部２１１が陥没形成され、前端に第１突出部２１２が突出形成される。第１ブロック２１０の後端に冷却水供給ライン３ａと冷却水排出ライン３ｂおよび電極ライン４が連結され、それぞれのラインは第１凹部２１１に挿入される。
【００３２】
第１凹部２１１の前方に、第１冷却水供給路２１３と第１冷却水排出路２１４が中央のボス部２１５を挟んで分離形成されるが、ボス部２１５の中央には配線挿入ホール２１６が貫通形成される。この時、第１冷却水供給路２１３と第１冷却水排出路２１４は、第１凹部２１１から第１突出部２１２の末端まで貫通形成され、配線挿入ホール２１６を通しては電極針６００に高周波を供給する電極ライン４の配線（図示せず）が電極針６００の一側まで延びる。
【００３３】
第２ブロック２２０は、第１ブロック２１０の一側に結合される。第２ブロック２２０の後端には第２凹部２２１が陥没形成され、前端に第２突出部２２２が突出形成される。より詳細には、第１ブロック２１０の第１突出部２１２が第２ブロック２２０の第２凹部２２１に挿入され、第１突出部２１２の外周面が第２凹部２２１の内周面に締まり嵌めまたは接着などの方法で結合される。
【００３４】
第２ブロック２２０の中央には第２冷却水供給路２２３が貫通形成され、第２冷却水供給路２２３の外側に第２冷却水排出路２２４が分離形成される。この時、第１ブロック２１０の第１冷却水排出路２１４と第２ブロック２２０の第２冷却水排出路２２４とは互いに連通し、このために、第１ブロック２１０の第１突出部２１２の一側が第２冷却水排出路２２４まで延長形成されることが好ましい。
【００３５】
一方、第１ブロック２１０と第２ブロック２２０との結合時、第２ブロック２２０の第２凹部２２１には、第１ブロック２１０と第２ブロック２２０との間に第１空間部２２５が形成され、第１冷却水供給路２１３を通して第２ブロック２２０に流入した冷却水は、第１空間部２２５を経て第２冷却水供給路２２３方向に流動する。
【００３６】
第３ブロック２３０は、第２ブロック２２０の一側に結合される。第３ブロック２３０の後端には第３凹部２３１が陥没形成される。より詳細には、第２ブロック２２０の第２突出部２２２が第３ブロック２３０の第３凹部２３１に挿入され、第２突出部２２２の外周面が第３凹部２３１の内周面に締まり嵌めまたは接着などの方法で結合される。また、第２突出部２２２と第３凹部２３１との結合時、第２ブロック２２０と第３ブロック２３０との間に第２空間部２３２が形成される。
【００３７】
第３ブロック２３０の中央には長手方向に貫通ホール２３３が貫通形成され、この貫通ホール２３３に内部チューブ３１０および外部チューブ３２０の一端が挿入される。この時、内部チューブ３１０の一端は第２ブロック２２０の第２冷却水供給路２２３に挿入結合され、外部チューブ３２０の一端は貫通ホール２３３に挿入結合される。
【００３８】
外部チューブ３２０の内部に内部チューブ３１０が備えられ、内部チューブ３１０の外周面と外部チューブ３２０の内周面との間には所定の隙間が形成される。
【００３９】
冷却水は、冷却水供給ライン３ａを通して第１ブロック２１０に供給され、第１ブロック２１０の第１冷却水供給路２１３を通して第２ブロック２２０に流入する。第２ブロック２２０に流入した冷却水は、第１空間部２２５を経て第２冷却水供給路２２３に流動し、第２冷却水供給路２２３に結合された内部チューブ３１０を通して、後述するガイド管４００を経て電極針６００の先端部に流動する。
【００４０】
電極針６００の先端部に供給された冷却水は、再び冷却水排出ライン３ｂに循環するが、ガイド管４００と電極針６００との間の隙間、そして内部チューブ３１０と外部チューブ３２０との間の隙間を通して第３ブロック２３０の第２空間部２３２に流入し、第２ブロック２２０の第２冷却水排出路２２４と第１ブロック２１０の第１冷却水排出路２１４を通して冷却水排出ライン３ｂに循環する。
【００４１】
図４は、図２の“Ｂ”部分の拡大断面図である。
【００４２】
取っ手２００の先端に折曲管３００の一端が結合される。この時、折曲管３００は、内部チューブ３１０と、内部チューブ３１０の外側を取り囲む外部チューブ３２０とを含み、内部チューブ３１０の外周面と外部チューブ３２０の内周面との間には所定の隙間が形成され、冷却水排出ライン３ｂに循環する冷却水がこの隙間を通して取っ手２００方向に流動する。
【００４３】
内部チューブ３１０の他端は、外部チューブ３２０の他端から電極針６００方向に所定長さだけ突出し、内部チューブ３１０の他端にガイド管４００が挿入結合される。この時、ガイド管４００の一端は内部チューブ３１０の他端の内部に挿入され、ガイド管４００の他端は電極針６００の内部に挿入されて、電極針６００の先端部まで延びる。これによって、内部チューブ３１０を通して流動する冷却水は、ガイド管４００を通して電極針６００の先端部まで流動する。
【００４４】
一方、外部チューブ３２０の他端の外周面には連結チューブ５００の一端が結合され、電極針６００の一端が連結チューブ５００の他端の内部に結合される。すなわち、連結チューブ５００は、外部チューブ３２０の他端と電極針６００の一端の外周面を取り囲むように結合される。
【００４５】
この時、ガイド管４００と電極針６００との間の隙間を通して冷却水が取っ手２００方向に循環し、ガイド管４００と連結チューブ５００との間の隙間と内部チューブ３１０と連結チューブ５００との間の隙間、および内部チューブ３１０と外部チューブ３２０との間の隙間を順次に経て取っ手２００に流入した冷却水は、冷却水排出ライン３ｂを通して排出される。
【００４６】
一方、本発明の一実施例による電極装置１００は、電極針６００に対して取っ手２００が所定角度折り曲げ変形可能で、折り曲げ変形した状態を維持できることを特徴とする。
【００４７】
このために、取っ手２００と電極針６００との間に配置される内部チューブ３１０と外部チューブ３２０は、合成樹脂などの弾性変形可能な軟性材質からなることが好ましく、外部チューブ３２０は、所定角度折り曲げられた状態でそれ以上の外力が加えられなければ、その折り曲げられた状態を維持できるようにしわ管形態に形成されることが好ましい。また、電極針６００に対して取っ手２００を所定角度折り曲げた状態で操作して電極針６００の挿入深さを調節できるように、外部チューブ３２０は、所定の硬度を有することが好ましい。
【００４８】
一方、連結チューブ５００は、例えば、ＰＥＥＫ（Ｐｏｌｙｅｔｈｅｒ  Ｅｔｈｅｒ  Ｋｅｔｏｎｅ）など、所定の硬度を有し、且つ、弾性的に撓み変形可能な合成樹脂材質からなることが好ましい。
【００４９】
図５は、図２の“Ｃ”部分の拡大断面図である。
【００５０】
上述したガイド管４００は、電極針６００の内部に挿入され、電極針６００の先端部まで延びる。ガイド管４００を通して電極針６００の先端部に供給された冷却水は、ガイド管４００の外周面と電極針６００の内周面との間の隙間を通して再び取っ手２００方向に循環する。
【００５１】
ここで、電極針６００は、病変部位の組織に挿入された状態で高周波を放射して周辺の組織を凝固させて壊死させるもので、例えば、ステンレススチールなど、人体に無害で、錆つかず通電可能な金属材質からなることが好ましい。
【００５２】
電極針６００に高周波を供給するための電極ライン４の配線は、第１ブロック２１０の配線挿入ホール２１６を経て外部チューブ３２０と内部チューブ３１０との間の隙間を通して電極針６００方向に延びて電極針６００の一側に接続される。また、電極針６００を組織に挿入した時、挿入深さに応じて焼灼される部分と焼灼されない部分を区分して施術できるように、電極針６００の一部を絶縁処理し、絶縁処理された部分では発熱しないようにしてもよい。
【００５３】
図６は、本発明の一実施例による高周波熱治療用電極装置の使用状態図である。
【００５４】
本発明の一実施例による電極装置１００は、取っ手２００と電極針６００との間に配置される内部チューブ３１０と外部チューブ３２０が弾性的に撓み変形可能な材質からなる。これによって、ＣＴガイド高周波熱治療施術時、電極装置１００の長さが身体７とＣＴ装置のリングボディ７との間の間隔より長くて操作が不便な場合、図６に示されているように、電極針６００に対して取っ手２００を所定角度折り曲げて電極装置１００の長さを短縮させて便利に施術することができる。
【００５５】
この時、取っ手２００が電極針６００に対して所定角度折り曲げられてその折り曲げられた状態を維持できるように、外部チューブ３２０は、所定の硬度を有する材質からなることが好ましく、しわ管形態に形成されることが好ましい。
【符号の説明】
【００５６】
１００：電極装置
２００：取っ手
２１０：第１ブロック
２１３：第１冷却水供給路
２１４：第１冷却水排出路
２１６：配線挿入ホール
２２０：第２ブロック
２２３：第２冷却水供給路
２２４：第２冷却水排出路
２３０：第３ブロック
２３３：貫通ホール
３００：折曲管
３１０：内部チューブ
３２０：外部チューブ
４００：ガイド管
５００：連結チューブ
６００：電極針
【図１】
2016538085.tif 000003
【図２】
2016538085.tif 000004
【図３】
2016538085.tif 000005
【図４】
2016538085.tif 000006
【図５】
2016538085.tif 000007
【図６】
2016538085.tif 000008
【国際調査報告】
2016538085.tif 000009
2016538085.tif 000010
2016538085.tif 000011
2016538085.tif 000012